(57)【特許請求の範囲】
【請求項１】
１対のチエーンピン穴を各々に設けられた複数のチェーンプレートの互いのチェーンピン穴をチェーンピンにより連結されてできたチェーンの端末のチェーンプレートを取付用チェーンピン穴を設けられた取付部材に取り付けるためのチェーン端末取付治具であって、
チェーンプレートの嵌まる段差である第一段差を形成する第一部材と、
チェーンプレートの嵌まる段差である第二段差を形成し前記第二段差にチェーンプレートを嵌めたときにチェーンプレートの１対のチェーンピン穴の位置に一致する位置にチェーンピンの軸直径より僅かに大きな直径をもつ穴である１対の逃げ用穴を設けられる第二部材と、
前記第一部材と前記第二部材とを前記第一段差と前記第二段差とを対面させた姿勢を維持しつつ接近させることとをできる第三部材と、
を備えることを特徴とするチェーン端末取付治具。
【請求項２】
前記第一段差または第二段差の少なくとも一方がチェーンプレートの幅寸法の最大値より僅かに幅寸法で離間する平行線上に設けられた１対の段差を持つ、
ことを特徴とする請求項１に記載のチェーン端末取付治具。
【請求項３】
前記第三部材が前記第一部材と前記第二部材とを前記第一段差と前記第二段差とを避けた２箇所の位置で貫通するボルトを有する、
ことを特徴とする請求項２に記載のチェーン端末取付治具。
【請求項４】
前記第一部材と前記第二部材とを取付部材に係止させて１対の前記逃げ用穴のうちの一方の逃げ用穴の位置を取付用チェーンピン穴の位置に一致させることをできる仮係止部材と、
を備えることを特徴とする請求項３に記載のチェーン端末取付治具。
【請求項５】
前記取付部材が取付用チェーンピッチ穴の位置とは異なる位置に仮係止用穴を設けられ、前記仮係止部材が仮係止用穴より僅かに小さな直径をもつ軸状の本体部と前記本体部に滑らかに繋がりテーパ状に尖った先端部とをもつガイド部材をもち、前記第一部材または前記第二部材が前記ガイド部材に案内されるガイド穴を設けられる、
ことを特徴とする請求項４に記載のチェーン端末取付治具。
【請求項６】
前記第三部材が前記第一部材と前記第二部材とを前記第一段差と前記第二段差とを避けた２箇所の位置で貫通するボルトを有する、
ことを特徴とする請求項１に記載のチェーン端末取付治具。
【請求項７】
前記第一部材と前記第二部材とを取付部材に係止させて１対の前記逃げ用穴のうちの一方の逃げ用穴の位置を取付用チェーンピン穴の位置に一致させることをできる仮係止部材と、
を備えることを特徴とする請求項１に記載のチェーン端末取付治具。
【請求項８】
前記取付部材が取付用チェーンピッチ穴の位置とは異なる位置に仮係止用穴を設けられ、前記仮係止部材が仮係止用穴より僅かに小さな直径をもつ軸状の本体部と前記本体部に滑らかに繋がりテーパ状に尖った先端部とをもつガイド部材をもち、前記第一部材または前記第二部材が前記ガイド部材に案内されるガイド穴を設けられる、
ことを特徴とする請求項７に記載のチェーン端末取付治具。
【発明の詳細な説明】
【技術分野】
【０００１】
本発明は、チェーンの端末を取付部材に取り付けるためのチェーン端末取付治具に係る。特に、二多段方式駐車機構においてパレットを吊るためのチェーンの端末を取付部材に取り付けるためのチェーン端末取付治具に関する。
【背景技術】
【０００２】
機械構造において、チェーンの端末を取付部材を介して対象物に取り付ける構造を採用することがある。
例えば、二段方式・多段方式駐車機構では、上下方向に多段に積み重ねられた複数の駐車空間を配列し、パレットを複数の駐車空間の間で移動させ、パレットに車両を搭載する。地面と平面を一致する駐車空間は入出庫空間を兼ねる。
パレットを移動させるのに昇降機器を用いる。
昇降機器は、電動モータとスプロケットとチェーンとで構成される。
例えば、チェーンは、一方の端末を取付部材を介して対象物に固定し、スプロケットに巻きかけ、他方の端末を取付部材を介して基礎またはパレットに固定する。
【０００３】
チェーンの端末を取付部材に取り付ける構造は、取付用のチェーンピンをチェーンの端末のチェーンプレートに設けられた自由端側のチェーンピン穴と取付部材に設けられた取付用チェーンピッチ穴とに挿入して抜け止め処理を施される構造をもつ。
【０００４】
チェーンの端末を取付部材に取り付ける作業は、現場で行われることが多い。
取付用チェーンピンに傷がついていたり、取付用チェーンピンが曲っていたりすると、取付用チェーンピンが期待される機能を発揮できないことがある。
そのために、取付用チェーンピンをチェーンピン穴と取付用チェーンピッチ穴とに挿入する作業をするときに慎重な作業を要する。
【発明の概要】
【発明が解決しようとする課題】
【０００５】
本発明は以上に述べた問題点に鑑み案出されたもので、簡易にチェーンの端末を取付部材に取り付けることをできるチェーン端末取付治具を提供する。
【課題を解決するための手段】
【０００６】
上記目的を達成するため、本発明に係る１対のチェーンピン穴を各々に設けられた複数のチェーンプレートの互いのチェーンピン穴をチェーンピンにより連結されてできたチェーンの端末のチェーンプレートを取付用チェーンピン穴を設けられた取付部材に取り付けるためのチェーン端末取付治具であって、チェーンプレートの嵌まる段差である第一段差を形成する第一部材と、チェーンプレートの嵌まる段差である第二段差を形成し前記第二段差にチェーンプレートを嵌めたときにチェーンプレートの１対のチェーンピン穴の位置に一致する位置にチェーンピンの軸直径より僅かに大きな穴直径をもつ１対の逃げ用穴を設けられる第二部材と、前記第一部材と前記第二部材とを前記第一段差と前記第二段差とを対面させた姿勢を維持しつつ接近させることとをできる第三部材と、を備えるものとする。
【０００７】
上記本発明の構成により、チェーンが、１対のチェーンピン穴を各々に設けられたチェーンプレートの互いのチェーンピン穴をチェーンピンにより連結されてできる。チェーン端末取付治具が、チェーンの端末のチェーンプレートを取付用チェーンピン穴を設けられた取付部材に取り付けるためのである。第一部材が、チェーンプレートの嵌まる段差である第一段差を形成する。第二部材が、チェーンプレートの嵌まる段差である第二段差を形成し、前記第二段差にチェーンプレートを嵌めたときにチェーンプレートの１対のチェーンピン穴の位置に一致する位置にチェーンピンの軸直径より僅かに大きな穴直径をもつ１対の逃げ用穴を設けられる。第三部材が、前記第一部材と前記第二部材とを前記第一段差と前記第二段差とを対面させた姿勢を維持しつつ接近させることとをできる。
その結果、チェーンの端末が１対のチェーンプレートで組み合わさせるときに、チェーンピンを一方のチェーンプレートのチェーンピン穴と取付用チェーンピン穴とに挿入し、前記第一部材と前記第二部材とを互いの段差を対面させる姿勢を維持し、一方のチェーンプレートを第一段差に嵌め、他方のチェーンプレートを前記第二段差に嵌め、前記第一部材と前記第二部材とを接近させると、チェーンピンを他方のチェーンプレートのチェーンピン穴にスムースに挿入し、チェーンの端末を取付部材に取り付けることをできる。
【０００８】
以下に、本発明の実施形態に係るチェーン端末取付治具を説明する。本発明は、以下に記載した実施形態のいずれか、またはそれらの中の二つ以上が組み合わされた態様を含む。
【０００９】
本発明の実施形態に係るチェーン端末取付治具は、前記第一段差または第二段差の少なくとも一方がチェーンプレートの幅寸法の最大値より僅かに広い幅寸法で離間する平行線上に設けられた１対の段差を持つ。
上記の実施形態の構成により、前記第一段差または第二段差の少なくとも一方がチェーンプレートの幅寸法の最大値より僅かに広い幅寸法で離間する平行線上に設けられた１対の段差である。
その結果、チェーンプレートを段差に嵌めたときにチェーンプレートが前記第一段差または前記第二段差に沿ってスライドするのを許すので、前もって組み合わせた前記第一部材と前記第二部材の第一段差と第二段差とにチェーンプレートを嵌めることを容易にできる。
【００１０】
本発明の実施形態に係るチェーン端末取付治具は、前記第三部材が前記第一部材と前記第二部材とを前記第一段差と前記第二段差とを避けた２箇所の位置で貫通するボルトを有する。
上記の実施形態の構成により、前記第三部材の前記ボルトが、前記第一部材と前記第二部材とを前記第一段差と前記第二段差とを避けた２箇所の位置で貫通する。
その結果、前記ボルトを回転させると螺子作用により第一部材と第二部材とを接近させえることをできる。
【００１１】
本発明の実施形態に係るチェーン端末取付治具は、前記第一部材と前記第二部材とを取付部材に係止させて１対の前記逃げ用穴のうちの一方の逃げ用穴の位置を取付用チェーンピン穴の位置に一致させることをできる仮係止部材と、を備える。
上記の実施形態の構成により、仮係止部材が、前記第一部材と前記第二部材とを取付部材に係止させて１対の前記逃げ用穴のうちの一方の逃げ用穴の位置を取付用チェーンピン穴の位置に一致させることをできる。
その結果、チェーン端末取付治具を取付部材に対して容易に位置決めできる。
【００１２】
本発明の実施形態に係るチェーン端末取付治具は、前記取付部材が取付用チェーンピッチ穴の位置とは異なる位置に仮係止用穴を設けられ、前記仮係止部材が仮係止用穴より僅かに小さな直径をもつ軸状の本体部と前記本体部に滑らかに繋がりテーパ状に尖った先端部とをもつガイド部材をもち、前記第一部材または前記第二部材が前記ガイド部材に案内されるガイド穴を設けられる。
上記の実施形態の構成により、前記取付部材が取付用チェーンピッチ穴の位置とは異なる位置に仮係止用穴を設けられる。前記仮係止部材のガイド部材が、仮係止用穴より僅かに小さな直径をもつ軸状の本体部と前記本体部に滑らかに繋がりテーパ状に尖った先端部とをもつ。前記第一部材または前記第二部材が前記ガイド部材に案内されるガイド穴を設けられる。
その結果、ガイド部材の先端部のテーパ状の部分でチェーンプレートの嵌まる第一部材または第二部材を案内し、本体部の軸状の部分に導くので、チェーンプレートを取付部材に対して容易に位置決めできる。
【発明の効果】
【００１３】
以上説明したように、本発明に係る駐車装置は、その構成により、以下の効果を有する。
前記第一部材にチェーンプレートの嵌まる段差を設け、前記第二部材にチェーンプレートの嵌まる段差を設けて、チェーンプレートを嵌めたときに１対のチェーンピン穴の位置に一致する位置にチェーンピンの軸直径より僅かに大きな穴直径をもつ１対の前記逃げ用穴を設け、前記第三部材が前記第一部材と前記第二部材とを互いの段差を対面させた姿勢を維持しつつ接近させることとをできる様にしたので、チェーンの端末が１対のチェーンプレートで組み合わさせるときに、チェーンピンを一方のチェーンプレートのチェーンピン穴と取付用チェーンピン穴とに挿入し、前記第一部材と前記第二部材とを前記第一段差と前記第二段差を対面させる姿勢を維持し、一方のチェーンプレートを段差に嵌め、他方のチェーンプレートを段差に嵌め、第一部材と第二部材とを接近させると、チェーンピンを他方のチェーンプレートのチェーンピン穴にスムースに挿入させ、チェーンの端末を取付部材に取り付けることをできる。
また、段差がチェーンプレートの幅寸法の最大値より僅かに広い幅寸法で離間する平行線上に設けられた１対の段差である様にしたので、チェーンプレートを段差に嵌めたときにチェーンプレートが段差に沿ってスライドするのを許すので、事前に組み合わせた第一段差と第二段差とにチェーンプレートを嵌めることを容易にできる。
また、前記ボルトが、前記第一部材と前記第二部材とを互いの段差を避けた２箇所の位置で貫通する様にしたので、前記ボルトを回転させると螺子作用により第一部材と第二部材とを接近させることをできる。
また、仮係止部材が、前記第一部材と前記第二部材とを取付部材に係止して、逃げ用穴の位置を取付用チェーンピン穴の位置に一致させることをできる様にしたので、チェーン端末取付治具を取付部材に対して容易に位置決めできる。
また、ガイド部材が、仮係止用穴より僅かに小さな直径をもつ軸状の本体部と前記本体部に滑らかに繋がりテーパ状に尖った先端部とをもち、第一部材または第二部材がガイド部材に案内されるガイド穴を設ける様にしたので、ガイド部材の先端部のテーパ状の部分で第一部材と第二部材とを案内して、本体部の軸状の部分に導くので、チェーン端末取付治具を取付部材に対して容易に位置決めできる。
従って、簡易にチェーンの端末を取付部材に取り付けることをできるチェーン端末取付治具を提供できる。
【図面の簡単な説明】
【００１４】
【図１】駐車装置の正面図である。
【図２】駐車装置の部分拡大図である。
【図３】本発明の第一の実施形態に係るチェーン端末取付治具の斜視図その１である。
【図４】本発明の第一の実施形態に係るチェーン端末取付治具の斜視図その２である。
【図５】本発明の第一の実施形態に係るチェーン端末取付治具の作用図である。
【図６】本発明の第二の実施形態に係るチェーン端末取付治具の斜視図である。
【図７】本発明の第三の実施形態に係るチェーン端末取付治具の斜視図である。
【発明を実施するための形態】
【００１５】
以下、本発明を実施するための形態を、図面を基に、説明する。
【００１６】
最初に、駐車装置を説明する。
図１は、駐車装置の正面図である。
例えば、駐車装置は二段式駐車機構を採用する。
二段式駐車機構は、上下方向に多段に積み重ねられた複数の駐車空間を形成し、パレットを駐車空間に配する。パレットに車両５を搭載し、パレットを複数の駐車空間の間で移動させる。地面と平面を一致する駐車空間は入出庫空間を兼ねる。
パレットを移動させるのに昇降機器を用いる。
昇降機器は、電動モータとスプロケットと姿勢安定チェーンと昇降用チェーンとで構成される。
例えば、姿勢安定用チェーンは、一方の端末を取付部材を介して構造体に固定し、パレットの左右に設けられた１対のアイドルスプロケットに巻きかけられ、他方の端末を取付部材を介して基礎に固定する。
さらに、昇降用チェーンは、一端をパレットに取付部材を介して固定され、駆動スプロケットに巻きかけられる。
電動モータが駆動スプロケットを駆動すると、パレットの姿勢を維持したまま、パレットを昇降できる。
【００１７】
チェーン１０は、１対のチェーンピン穴を設けられる複数のチェーンプレート１１、１２を直列に並べられ、複数のチェーンプレート１１、１２の互いのチェーンピン穴Ｐをチェーンピン１３により連結されてできたものである。
チェーン１０は、チェーンプレート１１、１２とチェーンピン１３とピンストッパ１４で構成されてもよい。
チェーンプレート１１は、外チェーンプレート１１と内チェーンプレート１２とで構成される。
１対のチェーンピン穴Ｐが、チェーンプレート１１、１２にチェーンの延びる方向に離間して設けられる。
左右１対の外チェーンプレート１１と左右１対の内チェーンプレート１２とがチェーンの延びる方向に沿って交互に配置される。
チェーンピン１３が、互いに重なった左右１対の外チェーンプレート１１のチェーンピン穴Ｐと左右１対の内チェーンプレート１２のチェーンピン穴Ｐとに挿入される。
ピンストッパ１４は、チェーンピン１３がチェーンピン穴Ｐから抜けないようにする部品である。
例えば、ピンストッパ１４は、チェーンピン１３の先端に設けられた穴に挿入される割ピンである。
例えば、ピンストッパ１４は、チェーンピン１３の先端に設けられた溝に嵌まるクリップ状部材である。
以下では、チェーンの端末のチェーンプレート１１が外チェーンプレートであるとして、説明する
【００１８】
取付部材２０は、チェーン１０の端末を他の機器に連結するための部材である。
例えば、チェーン１０の端末は、取付部材２０を介してパレットに連結される。
例えば、チェーン１０の端末は、取付部材２０を介して基礎に連結される。
チェーン１０は、取付用チェーンピン穴２１を設けられる。
取付用チェーンピン穴２１の直径はチェーンピッチ穴の直径に一致する。
【００１９】
以下に、本発明の第一の実施形態にかかるチェーン端末取付治具を、図を基に、説明する。
図２は、駐車装置の部分拡大図である。図３は、本発明の第一の実施形態に係るチェーン端末取付治具の斜視図その１である。図４は、本発明の第一の実施形態に係るチェーン端末取付治具の斜視図その２である。図５は、本発明の第一の実施形態に係るチェーン端末取付治具の作用図である。
【００２０】
チェーン端末取付治具は、チェーン１０の端末のチェーンプレート１１を取付部材２０に取り付けるための治具であって、第一部材３０と第二部材４０と第三部材５０とで構成される。
【００２１】
第一部材３０は、第一段差３１を形成する部材である。
第一部材３０は、第一段差３１を形成し、第一ボルト用穴３３を設けられる部材であってもよい。
第一部材３０は、第一段差３１を形成し、１対の第一ボルト用穴３３を設けられる部材であってもよい。
第一段差３１は、チェーンプレート１１、１２の嵌まる段差である。  
第一段差３１は、チェーンプレート１１、１２の幅寸法ｄの最大値より僅かに広い幅寸法Ｄで離間する平行線上に設けられた１対の段差であってもよい。
チェーンプレート１１、１２は、１対の第一段差３１に沿ってチェーンの延びる方向に自由に移動可能に案内される。
１対の第一ボルト用穴３３が、第一段差３１を跨いで第一部材３０に設けられても良い。
第一ボルト用穴３３は、第一部材３０を貫通する。
後述する第三部材５０のボルト５１が第一ボルト用穴３３を貫く。
後述する第三部材５０の１対のボルト５１が１対の第一ボルト用穴３３を貫く。
第一ボルト用穴３３が雌ネジを設けられても良い。ボルト５１に設けられた雄ネジ部が第一ボルト用穴３３の雌ネジにねじ込まれる。
【００２２】
第二部材４０は、第二段差４１を形成し、１対の逃げ用穴４２を設けられる部材である。
第二部材４０は、第二段差４１を形成し、１対の逃げ用穴４２を設けられ、第二ボルト用穴４３を設けられてもよい。
第二部材４０は、第二段差４１を形成し、１対の逃げ用穴４２を設けられ、１対の第二ボルト用穴４３を設けられてもよい。
第二段差４１は、チェーンプレート１１、１２の嵌まる段差である。
第二段差４１は、チェーンプレート１１、１２の幅寸法ｄの最大値より僅かに広い幅寸法Ｄで離間する平行線上に設けられた１対の段差であってもよい。
チェーンプレート１１、１２は、１対の第二段差４１に沿ってチェーンの延びる方向に自由に移動可能に案内される。
１対の逃げ用穴４２は、第二段差４１にチェーンプレート１１、１２を嵌めたときにチェーンプレート１１、１２の１対のチェーンピン穴Ｐの位置に一致する位置に設けられ、チェーンピン１３の軸直径より僅かに大きな直径をもつ穴である。
逃げ用穴４２は、第二部材を貫通してもよい。
または、逃げ用穴４２は、第二部材を貫通しなくてもよい。
逃げ用穴４２が第二部材を貫通しないばあいは、逃げ用穴４２の深さはチェーンピン１３をチェーンプレート１１、１２のチェーンピン穴Ｐに挿入してチェーンプレート１１、１２の側面から突き出た高さよりも深い。
第二ボルト用穴は、第二部材を貫通する。
後述する第三部材５０のボルト５１が第二ボルト用穴４３を貫く。
後述する第三部材５０の１対のボルト５１が１対の第二ボルト用穴４３を貫く。
第二ボルト用穴４３は、雌ネジを設けられても良い。ボルト５１に設けられた雄ネジ部が１対の第二ボルト用穴４３の雌ネジにねじ込まれる。
【００２３】
第三部材５０は、第一部材３０と第二部材４０とを第一段差３１と第二段差４１とを対面させた姿勢を維持しつつ接近させることとをできる部材である。
第三部材５０は、第一部材３０と第二部材４０とを第一段差３１と第二段差４１とを対面させた姿勢を維持しつつ離間させることと接近させることとをできる部材であってもよい。
第三部材５０は、ボルト５１であってもよい。
第三部材５０は、１対のボルト５１であってもよい。
ボルト５１は、第一部材３０を第一段差３１を避けた位置で貫通し、第二部材４０を第二段差４１を避けた位置で貫通する。
１対のボルト５１は、第一部材３０を第一段差３１を避けた２箇所の位置で貫通し、第二部材４０を第二段差４１を避けた２箇所の位置で貫通する。
例えば、１対のボルト５１は、第一部材３０の１対の第一ボルト用穴３３を貫通し、第二部材４０の第二ボルト用穴４３を貫通する。
ナットをボルト５１の雄ねじにねじ込み、ボルト５１を回転させると、ネジ作用により第一部材３０と第二部材４０とを離間させることと接近させることとをできる。
ボルト５１を第一ボルト用穴３３または第二ボルト用穴に形成した雌ネジにねじ込み、ボルト５１を回転させると、ネジ作用により第一部材３０と第二部材４０とを離間させることと接近させることとをできる。
【００２４】
以下に、チェーン端末取付治具の使用方法を説明する。
図５は、第一の実施形態にかかるチェーン端末取付治具を使用する様子を示す。
（１）チェーン１０の端末の１対のチェーンプレートの１対のチェーンピン穴Ｐのうち自由端側のチェーンピン穴Ｐの軸心を取付部材２０の取付用チャーンピン穴２１の軸心に、一致させる。
（２）チェーンピン１３をチェーン１０の端末の１対のチェーンプレート１１のうちに一方のチェーンプレートの１対のチェーンピン穴Ｐのうちの自由端側のチェーンピン穴Ｐと取付用チェーンピン穴２１とに挿入する。
（３）１対のチェーンプレート１１のうちの一方のチェーンプレート１１を第一部材３０の第一段差３１に嵌める。
（４）１対のチェーンプレート１１のうちの他方のチェーンプレート１１を第二部材４０の第二段差４１に嵌める。
（５）第三部材５０により第一部材３０と第二部材とを接近させる。
ボルト５１を回転させて、第一部材３０と第二部材とを接近させる。
（６）第一部材３０がチェーンピン１３を押すので、チェーンピン１３が１対のチェーンプレート１１の内の他方のチェーンプレート１１のチェーンピン穴Ｐに挿入される。
（７）チェーンピン１３の先端が他方のチェーンプレート１１のチェーンピン穴Ｐから突き出るのを確認すると、第一部材３０と第二部材４０と第三部材５０とを外す。
（８）ピンスットパ１４を取付け、チェーンピン１３の抜け止めをほどこす。
【００２５】
次に、本発明の第二の実施形態にかかるチェーン端末取付治具を、図を基に説明する。
図６は、本発明の第二の実施形態に係るチェーン端末取付治具の斜視図である。
【００２６】
チェーン端末取付治具は、チェーン１０の端末のチェーンプレート１１を取付用チェーンピン穴を設けられた取付部材に取り付けるための治具であって、第一部材３０と第二部材４０と第三部材５０とで構成される。
チェーン１０は、複数のチェーンプレート１１が直列に並べられ、１対のチェーンピン穴Ｐを設けられた複数のチェーンプレート１１が互いのチェーンピン穴Ｐをチェーンピンにより連結されてできる。
以下では、第一の実施形態にかかるチェーン端末取付治具と同一の構造については説明を省略し、異なる構造のみを説明する。
【００２７】
第一部材３０は、第一段差３１を形成する部材である。
第一部材３０は、第一段差３１を形成し、第一ボルト用穴３３を設けらる部材であってもよい。
第一部材３０は、第一段差３１を形成し、１対の第一ボルト用穴３３を設けらる部材であってもよい。
第一段差３１は、チェーンプレート１１、１２の嵌まる段差である。  
第一段差３１は、エンドレスの輪郭をもつ段差であってもよい。
例えば、輪郭はチェーンプレート１１、１２の幅寸法ｄの最大値より僅かに広い幅寸法Ｄの最大幅とチェーンプレート１１、１２の長さ寸法ｌの最大値より僅かに広い長さ寸法Ｌの最大値を持っていてもよい。
例えば、輪郭は、四辺形状であって、チェーンプレート１１、１２の幅方向ｄの最大値より僅かに広い幅寸法Ｄの長さの短辺とチェーンプレート１１、１２の長さ寸法ｌの最大値より僅かに広い長さ寸法Ｌの長さの長辺をもっていてもよい。
例えば、輪郭は、楕円形状であって、チェーンプレート１１、１２の幅寸法ｄの最大値より僅かに広い幅寸法Ｄの長さの短軸とチェーンプレート１１、１２の長さ寸法ｌの最大値より僅かに広い長さ寸法Ｌの長さの長軸をもっていてもよい。
例えば、輪郭は、１対の半円弧と半円弧の端部を繋ぐ１対の直線でできていて、チェーンプレート１１、１２の幅寸法ｄの最大値より僅かに広い幅寸法Ｄとチェーンプレート１１、１２の長さ寸法ｌの最大値より僅かに広い長さ寸法Ｌを持っていてもよい。
例えば、輪郭は、チェーンプレート１１、１２の輪郭に相似であって、僅かに大きな寸法をもっていてもよい。
第一部材のその他の構造は、第一の実施形態にかかるチェーン端末取付治具のものと同じなので、説明を省略する。
【００２８】
第二部材４０は、第二段差４１を形成し、１対の逃げ用穴４２を設けられる部材である。
第二部材４０は、第二段差４１を形成し、１対の逃げ用穴４２を設けられ、１対のボルト用穴を設けられてもよい。
第二段差４１は、チェーンプレート１１、１２の嵌まる段差である。
第二段差４１は、エンドレスの輪郭をもつ段差であってもよい。
輪郭の形状、寸法は、第一段差３１の輪郭と同じなので、説明を省略する。
第二部材のその他の構造は、第一の実施形態にかかるチェーン端末取付治具のものと同じなので、説明を省略する。
【００２９】
第三部材の構造は、第一の実施形態にかかるチェーン端末取付治具のものと同じなので、説明を省略する。
【００３０】
第二の実施形態にかかるチェーン端末取付治具の作用は、第一の実施形態にかかるチェーン端末取付治具の作用と同じなので、説明に省略する。
【００３１】
次に、本発明の第三の実施形態にかかるチェーン端末取付治具を、図を基に、説明する。
図７は、本発明の第三の実施形態に係るチェーン端末取付治具の斜視図である。
【００３２】
チェーン端末取付治具は、チェーンの端末のチェーンプレートを取付用チェーンピン穴を設けられた取付部材に取り付けるための治具であって、第一部材３０と第二部材４０と第三部材５０と仮係止部材６０とで構成される。
チェーン１０は、複数のチェーンプレート１１が直列に並べられ、１対のチェーンピン穴Ｐを直列方向に離間して設けられた複数のチェーンプート１１が互いのチェーンピン穴Ｐをチェーンピンにより連結されてできた。
【００３３】
第一部材３０は、第一段差３１を形成するれる部材である。
第一部材３０は、第一段差３１を形成し、第一ガイド穴３４を設けられる部材であってもよい。
第一部材３０は、第一段差３１を形成し、第一ボルト用穴３３と第一ガイド穴３４とを設けらる部材であってもよい。
第一部材３０は、第一段差３１を形成し、１対の第一ボルト用穴３３と第一ガイド穴３４とを設けられる部材であってもよい。
第一段差３１と第一ボルト用穴３３の構造は、第一、または第二の実施形態にかかるチェーン端末取付治具のものと同じなので、説明を省略する。
第一ガイド穴３４は、後述するガイド部材６１に案内される穴である。
【００３４】
第二部材４０は、第二段差４１を形成し、１対の逃げ用穴４２とを設けられる部材である。
第二部材４０は、第二段差４１を形成し、１対の逃げ用穴４２と第二ガイド穴４４とを設けられる部材であってもよい。
第二部材４０は、第二段差４１を形成し、１対の逃げ用穴４２と１対のボルト用穴と第二ガイド穴４４とを設けられてもよい。
第二段差４１と逃げ用穴４２と第二ボルト用穴４３の構造は、第一、または第二の実施形態にかかるチェーン端末取付治具のものと同じなので、説明を省略する。
第二ガイド穴は、後述するガイド部材６１に案内される穴である。
【００３５】
仮係止部材６０は、第一部材３０と第二部材４０とを取付部材２０に係止させて１対の逃げ用穴４２のうちの一方の逃げ用穴４２の位置を取付用チェーンピン穴の位置に一致させることをできる部材である。
仮係止部材６０は、第一部材３０と第二部材４０とを取付部材２０に係止させて１対の逃げ用穴４２のうちの自由端側のチェーンピン１２に対応する逃げ用穴４２の位置を取付用チェーンピン穴の位置に一致させることをできる部材である。
【００３６】
取付部材２０が取付用チェーンピッチ穴２１の位置とは異なる位置に仮係止用穴２２を設けられ、仮係止部材６０が仮係止用穴２２より僅かに小さな直径をもつ軸状の本体部と本体部に滑らかに繋がりテーパ状に尖った先端部とをもつガイド部材６１をもち、第一部材３０または第二部材４０がガイド部材６１に案内される第一ガイド穴３４なたは第二ガイド穴４４を設けられてもよい。  
例えば、ガイド部材６１は、仮係止用穴より僅かに小さな直径をもつ軸状の本体部と本体部の両端に滑らかに繋がりテーパ状に尖った１対の先端部とをもつ。
取付部材が、取付用チェーンピッチ穴２１の位置とは異なる位置に仮係止用穴２２を設けられる。
【００３７】
以下に、チェーン端末取付治具の使用方法を説明する。
図７は、第一部材３０と第二部材４０とがガイド部材６１に案内される様子を示す。
チェーン１０の端末のチェーンプレート１１の１対のチェーンピン穴Ｐのうち自由端側の空のチェーンピン穴Ｐの軸心を取付部材２０の取付用チャーンピン穴２１の軸心に、一致させる。
ガイド部材６１を取付部材２０の仮係止用穴２２に取り付ける。
ガイド部材６１を  第一部材３０の第一ガイド穴３４に挿入する。
ガイド部材６１を  第二部材４０の第二ガイド穴４４に挿入する。
チェーンピン１３をチェーン１０の端末の１対のチェーンプレート１１の内の一方のチェーンプレート１１の１対のチェーンピン穴Ｐのうち自由端側のチェーンピン穴Ｐと取付用チェーンピン穴２１とに挿入する。
１対のチェーンプレート１１のうちの一方のチェーンプレート１１を第一部材３０の第一段差３１に嵌める。
１対のチェーンプレート１１のうちの他方のチェーンプレート１１を第二部材４０の第二段差４１に嵌める。
第三部材５０により第一部材３０と第二部材とを接近させる。
第一部材３０がチェーンピン１３を押すので、チェーンピン１３が他方のチェーンプレート１１のチェーンピン穴Ｐに挿入される。
チェーンピン１３の先端が他方のチェーンプレート１１のチェーンピン穴Ｐから突き出ていることを確認すると、
第一部材３０と第二部材４０と第三部材５０とを外す。
割りピン１４をチェーンピン１３の割りピン用穴に差し込む。
【００３８】
本発明の実施形態に係るチェーン端末取付治具は、その構成により、以下の効果を有する。
第一部材３０にチェーンプレート１１の嵌まる段差を設け、第二部材４０にチェーンプレートの嵌まる段差を設けてチェーンプレート１１を嵌めたときに１対のチェーンピン穴Ｐの位置に一致する位置にチェーンピン１３の軸直径より僅かに大きな穴直径をもつ１対の逃げ用穴４２を設け、第三部材５０が第一部材３０と第二部材４０とを互いの段差を対面させた姿勢を維持しつつ離間させることと接近させることとをできる様にしたので、チェーン１０の端末が１対のチェーンプレート１１で組み合わさせるときに、チェーンピン１３を一方のチェーンプレート１１の自由端側のチェーンピン穴Ｐと取付用チェーンピン穴２１とに挿入し、第一部材３０と第二部材４０とを互いの段差を対面させる姿勢を維持し、一方のチェーンプレート１１を段差に嵌め、他方のチェーンプレート１１を段差に嵌め、第一部材３０と第二部材４０とを接近させると、チェーンピン１３を他方のチェーンプレート１１のチェーンピン穴Ｐにスムースに挿入し、チェーン１０の端末を取付部材２０に取り付けることをできる。
また、段差がチェーンプレートの幅寸法ｄの最大値より僅かに広い幅寸法Ｄで離間する平行線上に設けられた１対の段差である様にしたので、チェーンプレート１１を段差に嵌めたときにチェーンプレート１１が段差に沿ってチェーン１０の延びる方向へスライドするのを許すので、事前に組み合わせた第一段差３１と第二段差４１とにチェーンプレート１１を嵌めることを容易にできる。
また、ボルト５１が、第一部材３０と第二部材４０とを互いの段差を避けた２箇所の位置で貫通する様にしたので、ボルト５１を回転させると螺子作用により第一部材３０と第二部材４０とを離間させまたは接近させることをできる。
また、仮係止部材６０のガイド部材６１が、第一部材３０と第二部材４０とを取付部材２０に係止して、逃げ用穴４２の位置を取付用チェーンピン穴２１の位置に一致させることをできる様にしたので、チェーン端末取付治具を取付部材２０に対して容易に位置決めできる。
また、ガイド部材６１が、仮係止用穴２２より僅かに小さな直径をもつ軸状の本体部と本体部に滑らかに繋がりテーパ状に尖った先端部とをもち、第一部材３０または第二部材４０がガイド部材６１に案内される第一ガイド穴３４または第二ガイド穴４４を設ける様にしたので、ガイド部材の先端部のテーパ状の部分で第一部材３０または第二部材４０を案内して、本体部の軸状の部分に導くので、チェーン端末取付治具を取付部材２０に対して容易に位置決めできる。
【００３９】
本発明は以上に述べた実施形態に限られるものではなく、発明の要旨を逸脱しない範囲で各種の変更が可能である。
外チェーンプレート１１を取付部材２０に取り付ける例で説明したが、これに限定されない。例えば、内チェーンプレート１２を取付部材２０に取り付けてもよいし、オフセットリンクを取付部材２０に取り付けてもよい。
説明では、単体のチェーンピン１３をチェーンピン穴Ｐに挿入する例で説明したが、これに限定されない。例えば、１対のチェーンピン１３と一方のチェーンプレート１１とを一体にしたものを他方のチェーンプレート１１のチェーンピン穴Ｐに挿入しても良い。
【符号の説明】
【００４０】
Ｐ  チェーンピン穴
ｄ  幅寸法
Ｄ  幅寸法
ｌ  長さ寸法
Ｌ  長さ寸法
５  車両
１０  チェーン
１１  チェーンプレート
１２  チェーンプレート
１３  チェーンピン
１４  ピンストッパ
２０  取付部材
２１  取付用チェーンピン穴
２２  仮係止用穴
３０  第一部材
３１  第一段差
３３  第一ボルト用穴
３４  第一ガイド穴
４０  第二部材
４１  第二段差
４２  逃げ用穴
４３  第二ボルト用穴
４４  第二ガイド穴
５０  第三部材
５１  ボルト
６０  仮係止部材
６１  ガイド部材
６１ａ  先端部
６１ｂ  本体部
【先行技術文献】
【特許文献】
【００４１】
【特許文献１】特開２００８−２００８３０号広報
【図１】
0005570914.tif 000002
【図２】
0005570914.tif 000003
【図３】
0005570914.tif 000004
【図４】
0005570914.tif 000005
【図５】
0005570914.tif 000006
【図６】
0005570914.tif 000007
【図７】
0005570914.tif 000008